(57)【特許請求の範囲】
【請求項１】
左右方向に長い矩形に形成された入賞口を前面に有する筺体と、前記筺体に着脱可能に実装され前記入賞口を開閉する開閉体と、前記筺体に着脱可能に実装され前記開閉体を駆動する駆動装置と、前記筺体に設けられ前記筺体内から前記筺体外に遊技球を導く排出口と、前記筺体の内部に設けられ前記入賞口から前記排出口に遊技球を導く通路と、前記筺体に着脱可能に実装され、前記入賞口から前記筺体内に流入した遊技球を検知する入賞検知センサとを備えるパチンコ機の入賞装置であって、
前記筺体は、前記筺体の上部を構成する上側部材と、前記筺体の下部を構成する下側部材が着脱可能に結合されて成るものであって、前記排出口である第１，第２排出口と、前記通路である第１，第２通路とを備えるとともに、前記入賞検知センサである第１，第２入賞検知センサが実装されるダブルタイプの筺体と、前記第１排出口および前記第１通路を単独で備えるとともに前記第１入賞検知センサが単独で実装されるシングルタイプの筺体とのうちの一方から成り、
前記第１，第２入賞検知センサは遊技球が通過可能な検知孔を備え、この検知孔を通過する遊技球を検知するものであり、前記第１入賞検知センサは前記第１通路上に立設され、前記第２入賞検知センサの検知孔は前記第２通路上に立設され、
前記上側部材は前記ダブルタイプの筺体と前記シングルタイプの筺体に共通する構成部品であるとともに、前記ダブルタイプの筺体に実装される前記第１入賞検知センサの上部、または、前記シングルタイプの筺体に実装される前記第１入賞検知センサの上部が挿入される第１上側挿入部と、前記ダブルタイプの筺体に実装される前記第２入賞検知センサの上部が挿入される第２上側挿入部とを備え、
前記第１上側挿入部は、前記第１入賞検知センサの検知孔を覆うことを避ける第１上側凹部を備え、前記第２上側挿入部は、前記第２入賞検知センサの検知孔を覆うことを避ける第２上側凹部を備え、
前記下側部材は、前記ダブルタイプの筺体の構成部品であるダブルタイプの下側部材と、前記シングルタイプの筺体の構成部品であるシングルタイプの下側部材とのうちの一方から成り、
前記ダブルタイプの下側部材は、前記第１入賞検知センサの下部が挿入されて、その第１入賞検知センサを第１上側挿入部と共同で保持する第１下側挿入部と、前記第２入賞検知センサの下部が挿入されて、その第２入賞検知センサを第２上側挿入部と共同で保持する第２下側挿入部とを備え、
前記第１下側挿入部は、前記ダブルタイプの筺体における前記第１通路上において、前記第１入賞検知センサの検知孔に遊技球を導く第１開口部を前記第１上側凹部との間で形成する第１下側凹部を備え、
前記第２下側挿入部は、前記ダブルタイプの筺体における前記第２通路上において、前記第２入賞検知センサの検知孔に遊技球を導く第２開口部を前記第２上側凹部との間で形成する第２下側凹部を備え、
前記シングルタイプの下側部材は、前記第１下側挿入部を備えるとともに、前記第２下側挿入部の代わりに、前記第２通路を通過することに相当する遊技球の流れを阻止する阻止部が形成された奥側壁部と、前記奥側壁部の下部前方に位置して前記第１通路に向かって下り勾配で延びる斜面部とを備え、
前記ダブルタイプの筺体と前記シングルタイプの筺体とにおいて、前記開閉体および前記駆動装置を着脱可能に実装する手段は共通であり、
前記ダブルタイプの下側部材と前記上側部材を着脱可能に結合する手段と、前記シングルタイプの下側部材と前記上側部材を着脱可能に結合する手段とは共通である
ことを特徴とするパチンコ機の入賞装置。
【請求項２】
請求項１に記載のパチンコ機の入賞装置において、
前記第１，第２排出口は前記下側部材を上下方向に貫通する孔から成り、
前記第１下側挿入部は前記第１排出口に隣接し、前記第１入賞検知センサの前記第１排出口側の面に当接して前記第１入賞検知センサを支持する第１支持部を備え、この第１支持部は、前記第１排出口側に傾斜した斜面によって前記第１入賞検知センサを支持するものであり、
前記第１上側挿入部は、前記第１入賞検知センサの上部の前記第１排出口側とは反対側の面に当接し、前記第１入賞検知センサの姿勢を前記第１支持部の斜面に当接する姿勢に規定する第１規制部を備え、
前記第２下側挿入部は前記第２排出口に隣接し、前記第２入賞検知センサの前記第２排出口側の面に当接して前記第２入賞検知センサを支持する第２支持部を備え、この第２支持部は、前記第２排出口側に傾斜した斜面によって前記第２入賞検知センサを支持するものであり、
前記第２上側挿入部は、前記第２入賞検知センサの上部の前記第２排出口側とは反対側の面に当接し、前記第２入賞検知センサの姿勢を前記第２支持部の斜面に当接する姿勢に規定する第２規制部を備え、
前記第１入賞検知センサが前記第１規制部により姿勢を規定された状態において、前記第１入賞検知センサの検知孔の姿勢は前記第１排出口側に傾斜した姿勢を成し、
前記第２入賞検知センサが前記第２規制部により姿勢を規定された状態において、前記第２入賞検知センサの検知孔の姿勢は前記第２排出口側に傾斜した姿勢を成す
ことを特徴とするパチンコ機の入賞装置。
【発明の詳細な説明】
【技術分野】
【０００１】
本発明は、遊技球の入賞口および排出口と、入賞口から排出口に遊技球を導く通路と、入賞口に入賞した遊技球を検知する入賞検知センサとを備えるパチンコ機の入賞装置に関する。
【背景技術】
【０００２】
従来、パチンコ機の入賞装置の一種であるアタッカー装置は、左右方向に長い矩形に形成された入賞口（大入賞口）を前面に有する筺体と、筺体に実装され入賞口を開閉する開閉体と、筺体に実装され開閉体を駆動する駆動装置と、筺体に設けられ筺体内から筺体外に遊技球を導く排出口と、筺体内に設けられ入賞口から排出口に遊技球を導く通路と、筺体の内部に設けられ入賞口に入賞した遊技球を検知する入賞検知センサとを備える。
【０００３】
例えば特許文献１に開示されたアタッカー装置においては、本体ハウジング（筺体）は、前部材と後部材とを結合して成る。後部材は、２個または１個の排出口部（排出口、入賞検知センサ）を備えるとともに、前部材との間で排出口部の個数に対応する入賞空間領域（通路）を形成する壁部を備える。
【先行技術文献】
【特許文献】
【０００４】
【特許文献１】特開２００９−２２６０７３号公報（図２，図３，図８〜図１０）
【発明の概要】
【発明が解決しようとする課題】
【０００５】
パチンコ機の入賞装置の設計にあたって、排出口、通路および入賞検知センサを１個ずつ備える入賞装置と、排出口、通路および入賞検知センサを２個ずつ備える入賞装置とを個別に設計すると、種々の問題が生じる。例えば、排出口、通路および入賞検知センサを２個ずつ備える入賞装置から、排出口、通路および入賞検知センサを１個ずつ備える入賞装置への設計変更、および、その逆の設計変更に時間が掛かる。また例えば、排出口、通路および入賞検知センサを２個ずつ備える入賞装置の筺体と、排出口、通路および入賞検知センサを１個ずつ備える入賞装置の筺体とに対して個別に成形型を用意する必要があり、成形型に係るコストが嵩む。また例えば、入賞装置の構成部品のリサイクルの際に、排出口、通路および入賞検知センサを２個ずつ備える入賞装置の構成部品と、排出口、通路および入賞検知センサを１個ずつ備える入賞装置の構成部品とを区別してリサイクルする必要がある。
【０００６】
本発明は前述の事情を考慮してなされたものであり、その目的は、排出口、通路および入賞検知センサを２個ずつ備える入賞装置と、排出口、通路および入賞検知センサを１個ずつ備える入賞装置との間で、筺体を構成する２個の部材のうちの一方の部材以外の構成部品を共通化できるパチンコ機の入賞装置を提供することである。
【課題を解決するための手段】
【０００７】
前述の目的を達成するために本発明のパチンコ機の入賞装置は次のように構成されている。
【０００８】
本発明のパチンコ機の入賞装置は、左右方向に長い矩形に形成された入賞口を前面に有する筺体と、前記筺体に着脱可能に実装され前記入賞口を開閉する開閉体と、前記筺体に着脱可能に実装され前記開閉体を駆動する駆動装置と、前記筺体に設けられ前記筺体内から前記筺体外に遊技球を導く排出口と、前記筺体の内部に設けられ前記入賞口から前記排出口に遊技球を導く通路と、前記筺体に着脱可能に実装され、前記入賞口から前記筺体内に流入した遊技球を検知する入賞検知センサとを備えるパチンコ機の入賞装置であって、前記筺体は、前記筺体の上部を構成する上側部材と、前記筺体の下部を構成する下側部材が着脱可能に結合されて成るものであって、前記排出口である第１，第２排出口と、前記通路である第１，第２通路とを備えるとともに、前記入賞検知センサである第１，第２入賞検知センサが実装されるダブルタイプの筺体と、前記第１排出口および前記第１通路を単独で備えるとともに前記第１入賞検知センサが単独で実装されるシングルタイプの筺体とのうちの一方から成り、前記第１，第２入賞検知センサは遊技球が通過可能な検知孔を備え、この検知孔を通過する遊技球を検知するものであり、前記第１入賞検知センサは前記第１通路上に立設され、前記第２入賞検知センサの検知孔は前記第２通路上に立設され、前記上側部材は前記ダブルタイプの筺体と前記シングルタイプの筺体に共通する構成部品であるとともに、前記ダブルタイプの筺体に実装される前記第１入賞検知センサの上部、または、前記シングルタイプの筺体に実装される前記第１入賞検知センサの上部が挿入される第１上側挿入部と、前記ダブルタイプの筺体に実装される前記第２入賞検知センサの上部が挿入される第２上側挿入部とを備え、前記第１上側挿入部は、前記第１入賞検知センサの検知孔を覆うことを避ける第１上側凹部を備え、前記第２上側挿入部は、前記第２入賞検知センサの検知孔を覆うことを避ける第２上側凹部を備え、前記下側部材は、前記ダブルタイプの筺体の構成部品であるダブルタイプの下側部材と、前記シングルタイプの筺体の構成部品であるシングルタイプの下側部材とのうちの一方から成り、前記ダブルタイプの下側部材は、前記第１入賞検知センサの下部が挿入されて、その第１入賞検知センサを第１上側挿入部と共同で保持する第１下側挿入部と、前記第２入賞検知センサの下部が挿入されて、その第２入賞検知センサを第２上側挿入部と共同で保持する第２下側挿入部とを備え、前記第１下側挿入部は、前記ダブルタイプの筺体における前記第１通路上において、前記第１入賞検知センサの検知孔に遊技球を導く第１開口部を前記第１上側凹部との間で形成する第１下側凹部を備え、前記第２下側挿入部は、前記ダブルタイプの筺体における前記第２通路上において、前記第２入賞検知センサの検知孔に遊技球を導く第２開口部を前記第２上側凹部との間で形成する第２下側凹部を備え、前記シングルタイプの下側部材は、前記第１下側挿入部を備えるとともに、前記第２下側挿入部の代わりに、前記第２通路を通過することに相当する遊技球の流れを阻止する阻止部が形成された奥側壁部と、前記奥側壁部の下部前方に位置して前記第１通路に向かって下り勾配で延びる斜面部とを備え、前記ダブルタイプの筺体と前記シングルタイプの筺体とにおいて、前記開閉体および前記駆動装置を着脱可能に実装する手段は共通であり、前記ダブルタイプの下側部材と前記上側部材を着脱可能に結合する手段と、前記シングルタイプの下側部材と前記上側部材を着脱可能に結合する手段とは共通であることを特徴とする。
【０００９】
このように構成された本発明のパチンコ機の入賞装置において、筺体がダブルタイプの筺体である場合、入賞口から筺体内に流入した遊技球は、第１通路を転動して第１排出口に到達するか、第２通路を転動して第２排出口に到達する。この際、第１通路から第１排出口に流れる遊技球は第１入賞検知センサの検知孔を通過して第１入賞検知センサにより検知され、第２通路から第２排出口に流れる遊技球は第２入賞検知センサの検知孔を通過して第２入賞検知センサにより検知される。一方、筺体がシングルタイプの筺体である場合、入賞口から筺体内に流入した遊技球は、シングルタイプの下側部材に設けられた阻止部と斜面部によって、第２通路を通過することに相当する挙動を阻止され、すなわち、進路を第１通路に限定されて第１排出口に到達する。この際、その遊技球は第１入賞検知センサの検知孔を通過して、第１入賞検知センサに検知される。
【００１０】
また、本発明のパチンコ機の入賞装置においては、上側部材とダブルタイプの下側部材との間に第１，第２入賞検知センサが組み込まれた状態で、それら上側部材とダブルタイプの下側部材が結合されるとともに、それら上側部材とダブルタイプの下側部材が結合されて成る筺体に対し開閉体および駆動装置が実装されることによって、排出口、通路および入賞検知センサを２個ずつ備える入賞装置が構成される。一方、この上側部材とシングルタイプの下側部材との間に第１入賞検知センサが単独で組み込まれた状態で、それら上側部材とシングルタイプの下側部材が結合されるとともに、それら上側部材とシングルタイプの下側部材が結合されて成る筺体に対し開閉体および駆動装置が実装されることによって、排出口、通路および入賞検知センサを１個ずつ備える入賞装置が構成される。また、ダブルタイプの筺体とシングルタイプの筺体とにおいて、開閉体および駆動装置を着脱可能に実装する手段は共通である。また、ダブルタイプの下側部材と上側部材を着脱可能に結合する手段と、シングルタイプの下側部材と上側部材を着脱可能に結合する手段とは共通である。これらにより、本発明のパチンコ機の入賞装置は、排出口、通路および入賞検知センサを２個ずつ備える入賞装置と、排出口、通路および入賞検知センサを１個ずつ備える入賞装置との間で、筺体を構成する２部材のうちの一方の部材以外、すなわち上側部材と上側部材のうちの下側部材以外の構成部品を共通化できる。
【００１１】
また、本発明のパチンコ機の入賞装置において、上側部材の第１上側挿入部と、ダブルタイプの下側部材の第１下側挿入部、またはシングルタイプの下側部材の第１下側挿入部とが共同で第１入賞検知センサを保持することで、第１入賞検知センサは第１通路上に立設される。また、上側部材の第２上側挿入部と、ダブルタイプの第２下側挿入部とが共同で第２入賞検知センサを保持することで、第２入賞検知センサの検知孔は第２通路上に立設される。これにより、入賞装置の製造の際、製造者は、上側部材とダブルタイプの下側部材を結合してダブルタイプの筺体を完成させることと並行して、その筺体への第１，第２入賞検知センサの実装を完了させることができ、また、上側部材とシングルタイプの下側部材を結合してシングルタイプの筺体を完成させることと並行して、その筺体への第１入賞検知センサの実装を完了させることができる。つまり、本発明のパチンコ機の入賞装置は、上側部材または下側部材に対する入賞検知センサの実装と、それら上側部材と下側部材の結合とが別工程で行われる入賞装置よりも、製造の際の工数を減らすことができる。
【００１２】
本発明のパチンコ機の入賞装置は、前述の本発明のパチンコ機において、前記第１，第２排出口は前記下側部材を上下方向に貫通する孔から成り、前記第１下側挿入部は前記第１排出口に隣接し、前記第１入賞検知センサの前記第１排出口側の面に当接して前記第１入賞検知センサを支持する第１支持部を備え、この第１支持部は、前記第１排出口側に傾斜した斜面によって前記第１入賞検知センサを支持するものであり、前記第１上側挿入部は、前記第１入賞検知センサの上部の前記第１排出口側とは反対側の面に当接し、前記第１入賞検知センサの姿勢を前記第１支持部の斜面に当接する姿勢に規定する第１規制部を備え、前記第２下側挿入部は前記第２排出口に隣接し、前記第２入賞検知センサの前記第２排出口側の面に当接して前記第２入賞検知センサを支持する第２支持部を備え、この第２支持部は、前記第２排出口側に傾斜した斜面によって前記第２入賞検知センサを支持するものであり、前記第２上側挿入部は、前記第２入賞検知センサの上部の前記第２排出口側とは反対側の面に当接し、前記第２入賞検知センサの姿勢を前記第２支持部の斜面に当接する姿勢に規定する第２規制部を備え、前記第１入賞検知センサが前記第１規制部により姿勢を規定された状態において、前記第１入賞検知センサの検知孔の姿勢は前記第１排出口側に傾斜した姿勢を成し、前記第２入賞検知センサが前記第２規制部により姿勢を規定された状態において、前記第２入賞検知センサの検知孔の姿勢は前記第２排出口側に傾斜した姿勢を成すことを特徴とするものであってもよい。
【００１３】
このように構成された本発明のパチンコ機の入賞装置において、第１入賞検知センサの検知孔の姿勢は第１支持部と第１規制部とによって第１排出口側に傾斜した姿勢に保持され、第２入賞検知センサの検知孔の姿勢は第２支持部と第２規制部とによって第２排出口側に傾斜した姿勢に保持される。これにより、本発明のパチンコ機の入賞装置は、第１入賞検知センサの検知孔から第１排出口へ遊技球を円滑に導き、第１入賞検知センサにより検知済みの遊技球を速やかにダブルタイプの筺体外またはシングルタイプの筺体外に排出することができ、また、第２入賞検知センサの検知孔から第２排出口へ遊技球を円滑に導き、第２入賞検知センサにより検知済みの遊技球を速やかにダブルタイプの筺体外に排出することができる。
【００１４】
本発明のパチンコ機の入賞装置においては、前述のように第１入賞検知センサの検知孔の姿勢を第１排出口側に傾斜した姿勢に保持する構造は、第１支持部と第１規制部から構成され、これらは第１下側挿入部と第１上側挿入部に分散して設けられている。これと同様に、第２入賞検知センサの検知孔の姿勢を第２排出口側に傾斜した姿勢に保持する構造は、第２支持部と第２規制部から構成され、これらも第２下側挿入部と第２上側挿入部に分散して設けられている。これらの構造は、支持部および規制部が下側挿入部または上側挿入部に集中して設けられるものよりも、成形型による成形が容易である。
【発明の効果】
【００１５】
本発明のパチンコ機の入賞装置は、前述のように、排出口、通路および入賞検知センサを２個ずつ備える入賞装置と、排出口、通路および入賞検知センサを１個ずつ備える入賞装置との間で、筺体を構成する２部材（下側部材、上側部材）のうちの一方の部材（下側部材）以外の構成部品を共通化できる。これにより、排出口、通路および入賞検知センサを２個ずつ備える入賞装置から、排出口、通路および入賞検知センサを１個ずつ備える入賞装置への設計変更、および、その逆の設計変更に要する時間を短縮でき、また、排出口、通路および入賞検知センサを２個ずつ備える入賞装置の筺体と、排出口、通路および入賞検知センサを１個ずつ備える入賞装置の筺体との間で上側部材の成形型を共通化でき、また、入賞装置の構成部品のリサイクルの際に、排出口、通路および入賞検知センサを２個ずつ備える入賞装置と、排出口、通路および入賞検知センサを１個ずつ備える入賞装置との間で、下側部材以外の構成部品を区別なく使い回すことができる。したがって、本発明のパチンコ機の入賞装置は、入賞装置の製造コストの削減に貢献できる。
【図面の簡単な説明】
【００１６】
【図１】本発明の一実施形態の入賞装置を備えるパチンコ機の外観斜視図である。
【図２】図１に示したパチンコ機からガラス窓を取り除いた状態の正面図である。
【図３】本発明の一実施形態の入賞装置に意匠板を取り付けた状態を示す図であり、（ａ）はその状態の斜視図であり、（ｂ）はその状態の上面図であり、（ｃ）はその状態の正面図である。
【図４】図３に示した入賞装置の分解斜視図であり、（ａ）はダブルタイプの筺体を備える場合の分解斜視図であり、（ｂ）はシングルタイプの筺体を備える場合の分解斜視図である。
【図５】図４に示した上側部材を示す図であり、（ａ）はその上側部材の上面図であり、（ｂ）はその上側部材の正面図であり、（ｃ）はその上側部材の下面図であり、（ｄ）はその上側部材に備えられる第１，第２上側挿入部のそれぞれに第１，第２入賞検知センサが挿入された状態を示す図である。
【図６】図４に示したダブルタイプの下側部材を示す図であり、（ａ）はその下側部材の上面図であり、（ｂ）はその下側部材の正面図であり、（ｃ）はその下側部材に備えられる第１，第２下側挿入部のそれぞれに第１，第２入賞検知センサのそれぞれが挿入された状態を示す図である。
【図７】図５に示したシングルタイプの下側部材を示す図であり、（ａ）はその下側部材の上面図であり、（ｂ）はその下側部材の正面図であり、（ｃ）はその下側部材に備えられる第１下側挿入部に第１入賞検知センサが挿入された状態を示す図である。
【図８】ダブルタイプの筺体から開閉体を取り除いて大入賞口を正面から見た状態の図である。
【図９】シングルタイプの筺体から開閉体を取り除いて大入賞口を正面から見た場合の図である。
【発明を実施するための形態】
【００１７】
本発明の一実施形態の入賞装置は図１に示すパチンコ機１に適用されるものである。このパチンコ機１について、図１，図２を用いて説明する。なお、以下の説明において、パチンコ機１の各部の左右方向は、そのパチンコ機に対面する遊技者にとっての左右方向である。
【００１８】
図１に示すように、パチンコ機１は、遊技場の島設備に設置され上下方向に長い矩形状の枠体から成る機枠２と、この機枠２に開き戸状に開閉自在に取り付けられた枠体から成る本体枠３と、この本体枠３の内側に装着された遊技盤３０（後述）と、開き戸状に開閉自在なガラス窓４ａを中央に有し、本体枠３の前面に開き戸状に開閉自在に取り付けられたガラス扉４と、本体枠３の下側に開き戸状に開閉自在に設けられ、遊技球を収容する受皿６を有する前面ボード５と、本体枠３の下側に設けられ前面ボード５に覆われた遊技球の発射装置（図示してない）と、前面ボード５に回動操作が可能に設けられたハンドル７と、ガラス扉４の左上部、右上部のそれぞれに設けられたスピーカ８と、前面ボード５の左部に設けられた大型スピーカ９とを備える。前面ボード５の受皿６に収容された遊技球は、発射装置に１個ずつ供給されるようになっている。発射装置は、ハンドル７の回動操作に応じた発射強度で遊技球を遊技領域３１（後述）発射するよう制御されるようになっている。
【００１９】
図２に示すように、遊技盤３０は、その前面に遊技球が流下する遊技領域３１を備える。この遊技領域３１は、発射装置から発射された遊技球を遊技領域３１に向かって滑走させるガイドレール３２と遊技球規制レール３３とによって、遊技盤３０の前面に略円形状に区画形成されている。この遊技領域３１を遊技者はガラス窓４ａを通じて観察することができる。
【００２０】
遊技領域３１内には、特別図柄表示装置４１と、普通図柄表示装置４２と、演出表示装置５０、第１始動入賞口６１と、第２始動入賞口６２と、スルーチャッカ６３と、電動チューリップ６４と、一般入賞口６５と、アタッカー装置６６と、アウト口６７とが設けられている。これらの他にも、遊技領域３１内には風車、遊技釘等が設けられているが、それらの図示は省略した。
【００２１】
第１，第２始動入賞口６１，６２は、特別図柄に係る当否の抽選の契機を生じさせるためのものである。特別図柄表示装置４１は演出表示装置５０を見る遊技者の視界に入りにくいよう演出表示装置５０から右下方に離れて位置し、特別図柄に係る当否の抽選の結果に基づき制御されて特別図柄を所定時間変動させた後に停止させる。
【００２２】
スルーチャッカ６３は、遊技球が通過可能なゲート構造を成す。このスルーチャッカ６３は、普通図柄に係る当否の抽選の契機を生じさせるためのものである。普通図柄表示装置４２は特別図柄表示装置４１に隣接して位置し、普通図柄に係る当否の抽選の結果に基づき制御されて普通図柄を所定時間変動させた後に停止させる。
【００２３】
電動チューリップ６４は、第２始動入賞口６２の入口に設けられ、遊技盤３０の面に直交する軸を中心に回動する１対の羽根部材とを備えるものである。この電動チューリップ６４は、普通図柄に係る抽選で普図当りに当選した場合に、１対の羽根部材が開くよう、すなわち第２始動入賞口６２の入口が拡大されるよう制御される。
【００２４】
演出表示装置５０は遊技盤３０の略中央部に設けられた液晶表示装置から成り、特別図柄の変動時間に対応する所定の態様の演出表示など、遊技を演出する表示を行うよう制御される。
【００２５】
アタッカー装置６６は、電動チューリップ６４の下方に設けられている。このアタッカー装置６６は、大入賞口（図示してない）と、この大入賞口を開閉する開閉体（図示してない）を備える。開閉体が開いた状態は大入賞口への遊技球の入賞が可能な状態であり、開閉体が閉じた状態は大入賞口への遊技球の入賞が不可能な状態である。パチンコ機１において、アタッカー装置６６は、特別図柄に係る当否の抽選で特図当りに当選した場合に、所定ラウンド数（所定回数）だけ開閉するよう制御され、これによって遊技者に大当り遊技が提供される。
【００２６】
パチンコ機１は、第１，第２始動入賞口６１，６２、大入賞口、一般入賞口６５への遊技球の入賞に基づき、それぞれの入賞口に予め対応付けられた個数の賞球を受皿６に払い出すようになっている。
【００２７】
アウト口６７は遊技領域３１の最下部に位置し、第１，第２始動入賞口６１，６２、一般入賞口６５、アタッカー装置６６の大入賞口の何れにも入賞しなかった遊技球を、遊技盤３０の裏面側に排出するための開口である。
【００２８】
本発明の入賞装置の一実施形態は図３に示す入賞装置１００であり、前述のアタッカー装置６６に適用されるものある。入賞装置１００の構成の詳細を図３〜図９を用いて次に説明する。
【００２９】
図３に示すように、入賞装置１００は、左右方向に長い矩形に形成された入賞口１０２（前述の大入賞口）を前面に有する筺体１０１と、筺体１０１に着脱可能に実装され入賞口１０２を開閉する開閉体１２０と、筺体１０１に着脱可能に実装され開閉体１２０を駆動する駆動装置１３０と、筺体１０１に設けられて筺体１０１内から筺体１０１外に遊技球を導く排出口（後述）と、筺体１０１の内部に設けられて入賞口１０２から排出口に遊技球を導く通路（後述）と、筺体１０１に実装され、入賞口１０２から筺体１０１内に流入した遊技球を検知する入賞検知センサ（後述）とを備える。図３は、開閉体１２０が開いた状態を示している。
【００３０】
図３（ｂ）に示すように、筺体１０１は、入賞口１０２およびアウト口６７の周囲を装飾する意匠板１４０が取り付けられる取付部１０３，１０４を備える。取付部１０３は筺体１０１の右側部に突出して設けられていて、取付用ネジ１０５が挿通される取付用貫通孔１０３ａ（図６（ｂ），図７（ｂ）参照）を備える。取付部１０４は筺体１０１の左側部に突出して設けられていて、取付用ネジ１０６が挿通される取付用貫通孔１０４ａ（図６（ｂ），図７（ｂ）参照）を備える。入賞装置１００において、取付部１０３，１０４は、筺体１０１の下部を構成する下側部材３００（詳細は後述）に設けられているが、筺体１０１の上部を構成する上側部材２００（詳細は後述）に設けられていてもよい。なお、意匠板１４０は入賞装置１００の構成部品に含まれない。
【００３１】
意匠板１４０は背面に、後方向に突出して設けられた円筒部１４１，１４２を備える。円筒部１４１の内周面には取付用ネジ１０５が捩じ込まれる雌ネジ（図示してない）が設けられ、円筒部１４２の内周面には、取付用ネジ１０６が捩じ込まれる雌ネジ（図示してない）が設けられている。つまり、意匠板１４０は、筺体１０１にネジ止めにより取り付けられている。入賞装置１００は遊技領域３１に設けられた状態において、筺体１０１の前面と意匠板１４０の背面との間で前述の遊技盤３０を挟んで位置する。
【００３２】
筺体１０１にはダブルタイプとシングルタイプとの２種類がある。ダブルタイプの筺体は、排出口および通路を２個ずつ備えるとともに、それら２個の通路のそれぞれに入賞検知センサが１個ずつ実装されるものである。シングルタイプの筺体は、排出口および通路を１個ずつ備えるとともに、その通路に１個の入賞検知センサが実装されるものである。
【００３３】
筺体１０１は、上側部材２００と下側部材３００とを着脱可能に結合して成る。上側部材２００は筺体１０１の上部を構成し、下側部材３００は筺体１０１の下部を構成する。これら上側部材２００と下側部材３００は透明な合成樹脂製の部材である。上側部材２００は、ダブルタイプの筺体とシングルタイプの筺体とに共通の構成部品であり、下側部材３００には、図４（ａ），（ｂ）を比較して分かるように、ダブルタイプの筺体に専用のダブルタイプの下側部材４００と、シングルタイプの筺体に専用のシングルタイプの下側部材６００との２種類がある。
【００３４】
筺体１０１の上面を成す上側部材２００の上板部２０１には、遊技球が通過可能な通路用円筒部２０２が下方向に突出して設けられている。この通路用円筒部２０２の上端部は、上板部２０１の上面において開口している。筺体１０１の下面を成すダブルタイプの下側部材４００の下板部４０１およびシングルタイプの下側部材６００の下板部４０１には、通路用円筒部２０２と同径の通路用円筒部４０２が上方向に突出して設けられている。この通路用円筒部４０２は下板部４０１の下面において開口している。上側部材２００とダブルタイプの下側部材４００またはシングルタイプの下側部材６００とが結合した状態において、通路用円筒部２０２の下端部と通路用円筒部４０２の上端部とは突き合わされた状態となり、これによって、通路用円筒部２０２，４０２はダブルタイプの筺体またはシングルタイプの筺体を上下方向に貫通する円筒面状の通路１０７を成す。この通路１０７は、前述の第２始動入賞口６２に入賞した遊技球を回収するための遊技球の通路の一部として用いられる。
【００３５】
ダブルタイプの下側部材４００と上側部材２００と着脱可能に結合する手段と、シングルタイプの下側部材６００と上側部材２００を着脱可能に結合する手段とに係る入賞装置１００の構成を次に説明する。
【００３６】
図３に示すように、上側部材２００の上板部２０１には、図５（ｃ）に示すように４個の結合用円筒部２１１〜２１４が下方向に突出して設けられている。これら結合用円筒部２１１〜２１４のそれぞれは、上板部２０１の上面において開口していて、図３等に示すように結合用ネジ２２１〜２２４のそれぞれが挿通される。
【００３７】
図６（ａ）に示すように、ダブルタイプの下側部材４００の下板部４０１には、４個の結合用円筒部４１１〜４１４が上方向に突出して設けられている。これらの結合用円筒部４１１〜４１４のそれぞれの上端部の内周面には、雌ネジ（図示してない）が設けられている。図７（ａ）に示すように、シングルタイプの下側部材６００にも、ダブルタイプの下側部材４００と同じく、４個の結合用円筒部４１１〜４１４が設けられている。上側部材２００の結合用円筒部２１１〜２１４のそれぞれの下端部と、ダブルタイプの下側部４００またはシングルタイプの下側部材６００の材結合用円筒部４１１〜４１４のそれぞれの上端部とが突き合わされた状態で、上側部材２００の上板部２０１の上方から結合用円筒部２１１〜２１４のそれぞれに結合用ネジ２２１〜２２４のそれぞれが挿入され、結合用円筒部４１１〜４１４のそれぞれの雌ネジに捩じ込まれる。これにより、ダブルタイプの下側部材４００、または、シングルタイプの下側部材６００は、ネジ止めにより上側部材２００と着脱可能に結合される。
【００３８】
つまり、ダブルタイプの下側部材４００と上側部材２００を着脱可能に結合する手段と、シングルタイプの下側部材６００と上側部材２００を着脱可能に結合する手段は、結合用円筒部２１１〜２１４と、結合用円筒部４１１〜４１４の雌ネジの全てと、結合用ネジ２２１〜２２４とから構成された共通のものである。
【００３９】
入賞口１０２に係る入賞装置１００の構成の詳細を次に説明する。
【００４０】
上側部材２００は、図５（ｂ），（ｃ）に示すように、上板部２０１から下方向に突出して設けられ、入賞口１０２の上半分の右側面を成す右側壁部２３１と、上板部２０１から下方向に突出して設けられ、入賞口１０２の上半分の左側面を成す左側壁部２３２と、これら右側壁部２３１と左側壁部２３２との間の箇所に上板部２０１から下方向に突出して設けられ、入賞口１０２の上半分の奥行きを遊技球の直径（１１ｍｍ）と略等しく規定する奥側壁部２３３とを備える。
【００４１】
ダブルタイプの下側部材４００は、図６（ａ），（ｂ）に示すように、下板部４０１から上方向に突出して設けられ、入賞口１０２の下半分の右側面を成す右側壁部４２１と、下板部４０１から上方向に突出して設けられ、入賞口１０２の下半分の左側面を成す左側壁部４２２と、これら右側壁部４２１と左側壁部４２２の間の箇所に下板部４０１から上方向に突出して設けられ、入賞口１０２の下半分の奥行きを遊技球の直径（１１ｍｍ）と略等しく規定する奥側壁部４２３とを備える。
【００４２】
図８に示すように、上側部材２００とダブルタイプの下側部材４００とが結合してダブルタイプの筺体を成した状態において、右側壁部４２１の上端部、左側壁部４２２の上端部、および、奥側壁部４２３の上端部のそれぞれと、上側部材２００の右側壁部２３１の下端部、左側壁部２３２の下端部、および、奥側壁部２３３の下端部のそれぞれとは突き合わされた状態となる。この状態において、上側部材２００の上板部２０１、右側壁部２３１、左側壁部２３２および奥側壁部２３３と、ダブルタイプの下側部材４００の下板部４０１、右側壁部４２１、左側壁部４２２および奥側壁部４２３とに囲まれた空間が入賞口１０２である。
【００４３】
シングルの下側部材６００は、図７（ａ），（ｂ）に示すように、ダブルタイプの下側部材４００と同じく右側壁部４２１および左側壁部４２２を備えるとともに、ダブルタイプの下側部材４００の場合とは異なる奥側壁部６２３（詳細は後述する）を備える。図９に示すように、上側部材２００とシングルタイプの下側部材６００とが結合してシングルタイプの筺体を成した状態において、右側壁部４２１の上端部、左側壁部４２２の上端部、および、奥側壁部６２３の上端部のそれぞれと、上側部材２００の右側壁部２３１の下端部、左側壁部２３２の下端部、および、奥側壁部２３３の下端部のそれぞれとは突き合わされた状態となる。この状態において、上側部材２００の上板部２０１、右側壁部２３１、左側壁部２３２および奥側壁部２３３と、シングルタイプの下側部材６００の下板部４０１、右側壁部４２１、左側壁部４２２および奥側壁部６２３とに囲まれた空間が入賞口１０２である。
【００４４】
図６（ａ），（ｂ），図８に示すように、ダブルタイプの筺体における入賞口１０２の底面４３０は、この底面４３０の中央から右方向に下り傾斜を成す右側斜面４３１と、この右側斜面４３１の右側に平坦に広がった右側平坦面４３２と、この右側平坦面４３２から右側壁部２３１に向かって隆起した右側隆起部４３３と、底面４３０の中央から左方向に下り傾斜を成す左側斜面４３４と、この左側斜面４３４の左側に平坦に広がった左側平坦面４３５と、この左側平坦面４３５から左側壁部４２２に向かって隆起した左側隆起部４３６とから構成される。右側隆起部４３３および左側隆起部４３６は、入賞口１０２内における遊技球の詰まりの防止のために形成されたものである。
【００４５】
図７（ａ），（ｂ），図９に示すように、シングルタイプの筺体における入賞口１０２の底面６３０は、ダブルタイプの筺体における入賞口１０２の底面４３０と同じく、右側平坦面４３２および右側隆起部４３３を備えるが、左側斜面４３４、左側平坦４３５面および左隆起部４３６を備えず、これらの代わりに、左側壁部４２２から右側平坦面４３２に向かって下り傾斜を成す大斜面６３７を備える。
【００４６】
開閉体１２０に係る入賞装置１００の構成の詳細を次に説明する。
【００４７】
図４（ａ），（ｂ）に示すように、開閉体１２０は、入賞口１０２を塞ぐことが可能な矩形の板状の蓋部１２１と、この蓋部１２１の右側部に設けられた右側板部１２２と、蓋部１２１の左側部に設けられた左側板部１２３とを備える。この開閉体１２０は合成樹脂製の部材である。
【００４８】
開閉体１２０の右側板部１２２には、金属製の円柱状の開閉体用軸ピン１２４が右方向に突出して設けられている。開閉体１２０の左側板部１２３には、金属製の円柱状の開閉体用軸ピン（図示してない）が左方向に突出して設けられている。右側の開閉体用軸ピン１２４と左側の開閉体用軸ピンは同軸上に位置する。
【００４９】
図６（ａ）に示すように、ダブルタイプの下側部材４００の右前部には、右側の開閉体用軸ピン１２４が挿入される軸ピン受部４１１が設けられている。この軸ピン受部４１１は左右方向に延び下方向に凹んだ溝から成る。軸ピン受部４１１の左端部は開口していて、軸ピン受部４１１の右端部は壁面４４１ａにより閉じられている。ダブルタイプの下側部材４００の左前部には、左側の開閉体用軸ピンが挿入される軸ピン受部４４２が設けられている。この軸ピン受部４４２も軸ピン受部４４１と同様に、左右方向に延び下方向に凹んだ溝から成る。軸ピン受部４４２の右端部は開口していて、軸ピン受部４４２の左端部は壁面４４２ａにより閉じられている。
【００５０】
図７（ａ）に示すように、シングルタイプの下側部材６００にもダブルタイプの下側部材４００と同じく、軸ピン受部４４１，４４２が設けられている。
【００５１】
開閉体１２０は、ダブルタイプの下側部材４００およびシングルタイプの下側部材６００に対して、軸ピン受部４４１，４４２のそれぞれに右側の開閉体用軸ピン１２４および左側の開閉体用軸ピンのそれぞれが挿入されることにより、ダブルタイプの下側部材４００およびシングルタイプの下側部材６００に対して、右側の開閉体用軸ピン１２４および左側の開閉体用軸ピンを中心に前後方向に回動自在に支持された状態となる。この状態において、右側の開閉体用軸ピン１２４は軸ピン受部４４１の壁面４４１ａによって開閉体１２０から右方向に抜けることを阻止され、左側の開閉体用軸ピンは左側の軸ピン受部４４２の壁面４４２ａによって開閉体１２０から左方向に抜けることを阻止される。
【００５２】
図６（ａ）に示すように上側部材２００の右前部には、右側の開閉体用軸ピン受部４４１を上方から覆って配置されて右側の開閉体用軸ピン１２４の上方向の移動を規制する軸ピン規制部２４１と、左側の開閉体用軸ピン受部４４２を上方から覆って配置されて左側の開閉体用軸ピンの上方向への移動を規制する軸ピン規制部２４２とが設けられている。
【００５３】
ダブルタイプの筺体に開閉体１２０を着脱可能に実装する手段と、シングルタイプの筺体に開閉体１２０を着脱可能に実装する手段は、軸ピン受部４４１，４４２と、軸ピン用規制部２４１，２４２とから構成された共通のものである。
【００５４】
駆動装置１３０に係る入賞装置１００の構成の詳細を次に説明する。
【００５５】
図４（ａ），（ｂ）に示すように、駆動装置１３０は引張型のソレノイドであり、コイル１３１と、このコイル１３１を包囲して位置し、コイル１３１の軸方向に長く、コイル１３１の径方向に貫通した矩形の筒状のフレーム１３２と、このフレーム１３２の長手方向の一端部において開口し、コイル１３１に挿入された円筒部（図示してない）と、この円筒部に挿入されたプランジャ１３３と、フレーム１３２の一端部から突出して位置するプランジャ１３３の箇所に設けられ、プランジャ１３３の運動を開閉体１２０に伝達する伝動部１４０と、伝動部１４０とフレーム１３２との間に位置し、プランジャ１３３を前方向に付勢するコイルスプリング（図示してない）とを備える。
【００５６】
フレーム１３２は金属製の部材である。ダブルタイプの下側部材４００の左後部およびシングルタイプの下側部材６００の左後部には、切欠き４５０が設けられている。フレーム１３２は、その切欠き４５０の位置に、伝動部１４０側が前側と成り、フレーム１３２の貫通方向が上下方向に一致する姿勢（図４に示す姿勢）で配置される。フレーム１３２はダブルタイプの下側部材４００またはシングルタイプの下側部材６００に、取付部材１５０を介して固定される。なお、上側部材２００の左後部にもフレーム１３２が配置される切欠き２５０が設けられている。
【００５７】
取付部材１５０は、金属板がＬ字状に曲げ加工されて形成された部材から成る。フレーム１３２の右側板部１３２ａには、前後方向に並んだ２個の雌ネジ（図示してない）が設けられている。取付部材１５０のＬ字形の一辺を成す板部１５１は、フレーム１３２の右側板部１３２ａの２個の雌ネジのそれぞれの位置に配置される取付用貫通孔（図示してない）を有する。これらの取付用貫通孔のそれぞれには取付用ネジ１５３，１５４が挿通され、これらの取付用ネジ１５３，１５４のそれぞれは右側板部１３２ａの２個の雌ネジのそれぞれに捩じ込まれる。つまり、取付部材１５０の板部１５１は、フレーム１３２の右側板部１３２ａにネジ止めされる。
【００５８】
取付部材１５０のＬ字形の他辺を成す板部１５２には、２個の取付用貫通孔１５５，１５６が設けられている。ダブルタイプの下側部材４００の下板部４０１の上面、および、シングルタイプの下側部材６００の下板部４０１には、前述の４個の結合用円筒部４１１〜４１４の他に、取付用円筒部４５１が上方向に突出して設けられている。結合用円筒部４１３および取付用円筒部４５１のそれぞれの下端部は下板部４０１の下面で開口し、これらの下端部のそれぞれの内周面には雌ネジが設けられている。これらの雌ネジのそれぞれの位置に取付用貫通孔１５５，１５６のそれぞれが配置されるよう、取付部材１５０の板部１５２は下板部４０１に下方から重ね合わされる。取付用貫通孔１５５，１５６のそれぞれには取付用ネジ（図示してない）が挿通され、結合用円筒部４１３および取付用円筒部４５１のそれぞれの雌ネジに捩じ込まれる。つまり、取付部材１５０の板部１５２は下板部４０１にネジ止めされる。
【００５９】
駆動装置１３０の伝動部１４０は、プランジャ１３３の径方向に貫通した金属製の軸ピン１４２を介してプランジャ１３３の前端部に結合した合成樹脂製の回動部材１４１と、軸ピン１４２と平行な方向に回動部材１４１を貫通して設けられた金属製の軸ピン１４３とを備える。回動部材１４１は軸ピン１４２を中心にプランジャ１３３に対して回動自在となっている。
【００６０】
図６（ａ）に示すように、ダブルタイプの下側部材４００の左前部には、左右方向に対向して位置する軸ピン受部４６１，４６２が設けられている。これらの軸ピン受部４６１，４６２は溝から成り、それぞれに軸ピン１４３の両端部のそれぞれが挿入される。軸ピン１４３が軸ピン受部４６１，４６２に挿入された状態において、軸ピン１４３は、この軸ピン１４３の軸方向が左右方向に一致した状態で、プランジャ１３３の下方に位置する。軸ピン受部４６１の右端部は壁面４６１ａにより閉じられていて、この壁面４６１ａは軸ピン１４３が回動部材１４１から右方向に抜けることを阻止する。軸ピン受部４６２の左端部は壁面４６２ａで閉じられていて、この壁面４６２ａは軸ピン１４３が回動部材１４１から左方向に抜けることを阻止する。
【００６１】
図７（ａ）に示すように、シングルタイプの下側部材６００の左前部にも、ダブルタイプの下側部材４００と同じく、軸ピン受部４６１，４６２が設けられている。
【００６２】
図５（ｃ）に示すように、上側部材２００の左前部には、プランジャ１３３および伝動部１４０を覆うカバー部２５０が設けられている。このカバー部２６０の下端部には、軸ピン受部４６１を上方から覆って配置され軸ピン１４３の右端部の上方向の移動を規制する軸ピン規制部２６１と、軸ピン受部４６２を上方から覆って配置され軸ピン１４３の左端部の上方向の移動を規制する軸ピン規制部２６２とが設けられている。
【００６３】
図４（ａ），（ｂ）に示すように、回動部材１４１は、軸ピン１４３よりも前方の箇所から右方向に突出して設けられ開閉体１２０を押し上げる円柱状の押上げ部１５１と、この押上げ部１５１よりも前方の箇所にフック状に形成され開閉体１２０を押し下げる押下げ部１５２とを備える。開閉体１２０の左側板部１２３は、湾曲面状の凹部から成り回動部材１４１の押上げ部１５１と係合する押上げ操作部１２５と、左方向に突出して設けられ回動部材１４１の押下げ部１５２と係合する円柱状の押下げ操作部１２６とを備える。
【００６４】
駆動装置１３０のコイル１３１が励磁されてプランジャ１３３が後方向に引き込まれると、回動部材１４１は軸ピン１４３を中心に上方向に回動する。これに伴い、回動部材１４１の押上げ部１５１は開閉体１２０の押上げ操作部１２５を押上げ、これによって開閉体１２０は前方向に回動する。この結果、開閉体１２０の蓋部１２１は入賞口１０２を開放する。
【００６５】
駆動装置１３０のコイル１３１の励磁が解かれてプランジャ１３３がコイルスプリング（図示してない）により前方向に押し動かされると、回動部材１４１は軸ピン１４３を中心に下方向に回動する。これに伴い、回動部材１４１の押下げ部１５２は開閉体１２０の押下げ操作部１２６を押し下げ、これによって開閉体１２０は後方向に回動する。この結果、開閉体１２０の蓋部１２１は入賞口１０２を閉鎖する。
【００６６】
図５（ｂ），（ｃ）に示すように、上側部材２００の右側壁部２３１の右側方には、開閉体１２０の右側板部１２２の軌道上に位置し、開閉体１２０の前方向および後方向への開閉体１２０の回動の限界角度を規定するストッパ２６３が設けられている。
【００６７】
ダブルタイプの筺体に駆動装置１３０を着脱可能に実装する手段と、シングルタイプの筺体に駆動装置１３０を着脱可能に実装する手段は、取付部材１５０と、この取付部材１５０の板部１５１を駆動装置１３０のフレーム１３２の右側板部１３２ａにネジ止めする２個の雌ネジ（図示してない）および２個の取付用ネジ１５３，１５４と、取付部材１５０の板部１５２を下板部４０１にネジ止めす２個の雌ネジ（図示してない）および２個の取付用ネジ（図示してない）と、軸ピン受部４６１，４６２と、軸ピン規制部２６１，２６２とから構成された共通のものである。
【００６８】
照明に係る入賞装置１００の構成を次に説明する。
【００６９】
図４（ａ），図６（ａ）に示すように、上側部材２００とダブルタイプの下側部材４００との間には、ＬＥＤが設けられた矩形の回路基板８００が、立ち上がった状態で組み込まれる。ダブルタイプの下側部材４００の下板部４０１の上面には、コ字状の保持部５４１，５４２が対向して設けられている。回路基板８００の左側部および右側部のそれぞれは、それらの保持部５４１，５４２のそれぞれに嵌め込まれることで、ダブルタイプの筺体に実装される。
【００７０】
図４（ｂ），図７（ａ）に示すように、シングルタイプの下側部材６００にも、ダブルタイプの下側部材４００と同じく、保持部５４１，５４２が設けられている。
【００７１】
排出口、通路および入賞検知センサに係る入賞装置１００の構成の詳細を次に説明する。
【００７２】
図４（ａ）に示すように、上側部材２００とダブルタイプの下側部材４００との間には、２個の入賞検知センサ、すなわち第１，第２入賞検知センサ７０１，７０２が組み込まれる。一方、図５に示すように、上側部材２００とシングルタイプの下側部材６００との間には、第１入賞検知センサ７０１が単独で組み込まれる。
【００７３】
第１入賞検知センサ７０１は、長辺と短辺を有する矩形の板状の磁気センサであり、長手方向において偏心した箇所に、遊技球が通過可能な検知孔７０１ａを備える。第２入賞検知センサ７０２も第１入賞検知センサ７０１と同じ構成のものであり、検知孔７０２ａを備える。これら第１，第２入賞検知センサ７０１，７０２のそれぞれは、長手方向が左右方向に一致し、かつ、検知孔７０１ａ，７０２ａのそれぞれが左側に偏心して位置した姿勢で、ダブルタイプの筺体内またはシングルタイプの筺体内に立設される。
【００７４】
図５（ｃ）に示すように、上側部材２００は、ダブルタイプの筺体に実装される第１，第２入賞検知センサ７０１，７０２のうちの第１入賞検知センサ７０１の上部、または、シングルタイプの筺体に実装される第１入賞検知センサ７０１の上部が挿入される第１上側挿入部２７０と、ダブルタイプの筺体に実装される第１，第２入賞検知センサ７０１，７０２のうちの第２入賞検知センサ７０２の上部が挿入される第２上側挿入部２８０とを備える。
【００７５】
第１上側挿入部２７０は、図５（ｃ），（ｄ）を比較して分かるように、第１規制部２７１〜２７３と、後側壁部２７４と、第１位置決め壁部２７５，２７６とに囲まれて成る。第１規制部２７１は、左右方向における奥側壁部２３３の中央付近の箇所から後方向に突出して設けられたものである。第１規制部２７２は、右側壁部２３１の後端部から後方向に突出して設けられたものである。第１規制部２７３は、右側壁部２３１の後方において奥側壁部２３３の延長線上に設けられた小壁部２７７から後方向に突出して設けられたものである。後側壁部２７４は、奥側壁部２３３と小壁部２７７の後方において上板部２０１から下方向に突出し、奥側壁部２３３と平行に設けられたものである。第１位置決め部２７５は第１規制部２７１の左後方において上板部２０１から下方向に突出して設けられたものであり、第１位置決め部２７６は、第１規制部２７３の右後方において上板部２０１から下方向に突出して設けられたものであり、これら第１位置決め壁部２７５，２７６は、第１上側挿入部２７０に対する第１入賞検知センサ７０１の上部の左右方向の移動を規制するものである。
【００７６】
第２上側挿入部２８０は、同図５（ｃ），（ｄ）を比較して分かるように、第２規制部２８１〜２８３と、後側壁部２７４と、第２位置決め壁部２８５，２８６とによって囲まれて成る。第２規制部２８１は、左右方向における奥側壁部２３３の中央付近の箇所から後方向に突出して設けられたものである。第２規制部２８２は、第２規制部２８１と左側壁部２３２の間に位置する奥側壁部２３３の箇所から後方向に突出して設けられたものである。第２規制部２８３は、左側壁部２３２の後端部から後方向に突出して設けられたものである。第２位置決め部２８５は第２規制部２８１の右後方において上板部２０１から下方向に突出して設けられたものであり、第２位置決め部２８６は、第２規制部２８３の左後方において上板部２０１から下方向に突出して設けられたものであり、これら第２位置決め壁部２８５，２８６は、第２上側挿入部２８０に対する第２入賞検知センサ７０２の上部の左右方向の移動を規制するものである。
【００７７】
図５（ｂ），（ｃ）に示すように、第１上側挿入部２７０は、第１入賞検知センサ７０１の検知孔７０１ａを覆うことを避ける第１上側凹部２７８，２７９を備え、第２上側挿入部２８０は、第２入賞検知センサ７０２の検知孔７０２ａを覆うことを避ける第２上側凹部２８８，２８９を備える。
【００７８】
第１上側凹部２７８は、第１規制部２７１，２７２間に位置する奥側壁部２３３の箇所に設けられていて、奥側壁部２３３が第１入賞検知センサ７０１の検知孔７０１ａを前方から覆うことを避けている。第１上側凹部２７９は、第１上側凹部２７８の後方に位置する後側壁部２７４の箇所に設けられていて、後側壁部２７４が第１入賞検知センサ７０１の検知孔７０１ａを後方から覆うことを避けている。
【００７９】
第２上側凹部２８８は、第２規制部２８２，２８３間に位置する奥側壁部２３３の箇所に設けられていて、奥側壁部２３３が第２入賞検知センサ７０２の検知孔７０２ａを前方から覆うことを避けている。第２上側凹部２８９は、第２上側凹部２８８の後方に位置する後側壁部２７４の箇所に設けられていて、後側壁部２７４が第２入賞検知センサ７０２の検知孔７０２ａを後方から覆うことを避けている。
【００８０】
排出口、通路および入賞検知センサに係るダブルタイプの下側部材４００の構造の詳細を次に説明する。
【００８１】
図６（ａ）に示すように、ダブルタイプの下側部材４００は、第１，第２排出口４７１，４７２を備える。第１排出口４７１は底面４３０の右側平坦面４３２の後方に位置し、第２排出口４７２は底面４３０の左側平坦面４３５の後方に位置する。これら第１，第２排出口４７１，４７２は、下板部４０１を上下方向に貫通して設けられている。第１排出口４７１の縁および第２排出口４７２の縁のそれぞれには、前面が開口したＵ字状の第１，第２Ｕ形壁部４７１ａ，４７２ａのそれぞれが上方向に突出して設けられている。
【００８２】
ダブルタイプの下側部材４００は、矢印で示すように、底面４３０の右側平坦面４３２から第１排出口４７１に遊技球を導く第１通路４８１と、底面４３０の左平坦面４３５から第２排出口４７２に遊技球を導く第２通路４８２とを備える。
【００８３】
図６（ａ）に示すように、ダブルタイプの下側部材４００は、第１上側挿入部２７０の下方に配置され、第１入賞検知センサ７０１の下部が挿入されて、その第１入賞検知センサ７０１を第１上側挿入部２７０と共同で保持する第１下側挿入部５１０と、第２上側挿入部２８０の下方に配置され、第２入賞検知センサ７０２の下部が挿入されて、その第２入賞検知センサ７０２を第２上側挿入部２８０と共同で保持する第２下側挿入部５２０とを備える。第１下側挿入部５１０は第１排出口４７１に前方で隣接し、第２下側挿入部５２０は第２排出口４７２に前方で隣接する。
【００８４】
第１下側挿入部５１０は、同図６（ａ），（ｃ）を比較して分かるように、第１支持部５１１〜５１３と、小壁部５１４と、第１位置決め部５１６，５１７とに囲まれて成る。第１支持部５１１は、第１Ｕ形壁部４７１ａの左前端部を延長して設けられたものである。第１支持部５１２は、第１Ｕ形壁部４７１ａの右前端部を延長して設けられたものである。第１Ｕ形壁部４７１ａの右側方には、第１後側壁部５１５が下板部４０１から上方向に突出し、奥側壁部４２３と平行に設けられている。第１支持部５１３は、第１後側壁部５１５の右端部から前方向に突出して設けられたものである。小壁部５１４は、右側壁部４２１の後方および奥側壁部４２３の延長線上に位置し、下板部４０１から上方向に突出して設けられたものである。第１位置決め部５１６は第１支持部５１１の左前方において下板部４０１から上方向に突出して設けられたものであり、第１位置決め部５１７は、第１支持部５１３の右前方において下板部４０１から上方向に突出して設けられたものであり、これら第１位置決め壁部５１６，５１７は、第１下側挿入部５１０に対する第１入賞検知センサ７０１の下部の左右方向の移動を規制するものである。
【００８５】
第２下側挿入部５２０は、同図６（ａ），（ｃ）を比較して分かるように、奥側壁部４２３と、第２支持部５２１〜５２３と、第２位置決め部５２６，５２７とに囲まれて成る。第２Ｕ形壁部４７２ａの右側方には、第２後側壁部５２５が下板部４０１から上方向に突出し、奥側壁部２４２３と平行に設けられている。第２支持部５２１は、第２後側壁部５２５の右端部から前方向に突出して設けられたものである。第２支持部５２２は、第２Ｕ形壁部４７２ａの右前端部を延長して設けられたものである。第２支持部５２３は、第２Ｕ形壁部４７２ａの左前端部を延長して設けられたものである。第２位置決め部５２６は第２支持部５２１の右後方において下板部４０１から上方向に突出して設けられたものであり、第２位置決め部５２７は、第２支持部５１３の左後方において下板部４０１から上方向に突出して設けられたものであり、これら第２位置決め壁部５２６，５２７は、第２下側挿入部５２０に対する第２入賞検知センサ７０２の下部の左右方向の移動を規制するものである。
【００８６】
第１支持部５１１〜５１３と第１規制部２７１〜２７３は共同して、第１入賞検知センサ７０１を保持するものである。より詳細には、第１支持部５１１〜５１３のそれぞれの前端面は、第１排出口４７１側に傾斜した斜面、すなわち、後方向に上り傾斜の斜面を成す。これらの前端面の下板部４０１に対する傾斜角度は互いに等しく設定されている。第１規制部２７１〜２７３のそれぞれの後端面は、上側部材２００とダブルタイプの下側部材４００とが結合してダブルタイプの筺体を成した状態において、第１支持部５１１〜５１３のそれぞれの前端面と平行な斜面を成す。第１支持部５１１〜５１３は何れも前端面の位置で第１入賞検知センサ７０１の第１排出口４７１側の面（背面）に当接して、第１入賞検知センサ７０１を支持する。第１規制部２７１〜２７３は何れも後端面の位置で第１入賞検知センサ７０１の第１排出口４７１側とは反対側の面（前面）に当接し、第１入賞検知センサ７０１の姿勢を、第１支持部５１１〜５１３のそれぞれの前端面に当接した姿勢、すなわち、第１排出口４７１側（後方）に傾倒した姿勢に規定する。第１入賞検知センサ７０１が第１規制部２７１〜２７３により姿勢を規定された状態において、第１入賞検知センサ７０１の検知孔７０１ａの姿勢は第１排出口４７１側に傾斜した姿勢を成す。
【００８７】
第２支持部５２１〜５２３と第２規制部２８１〜２８３は共同して、第２入賞検知センサ７０２を保持するものである。より詳細には、第２支持部５２１〜５２３のそれぞれの前端面は、第２排出口４７２側に傾斜した斜面、すなわち、後方向に上り傾斜の斜面を成す。これらの前端面の下板部４０１に対する傾斜角度は互いに等しく設定されている。第２規制部２８１〜２８３のそれぞれの後端面は、上側部材２００とダブルタイプの下側部材４００とが結合してダブルタイプの筺体を成した状態において、第２支持部５２１〜５２３のそれぞれの前端面と平行な傾面を成す。第２支持部５２１〜５２３は何れも前端面の位置で第２入賞検知センサ７０２の第２排出口４７２側の面（背面）に当接して、第２入賞検知センサ７０２を支持する。第２規制部２８１〜２８３は何れも後端面の位置で第２入賞検知センサ７０２の第２排出口４７２側とは反対側の面（前面）に当接し、第２入賞検知センサ７０２の姿勢を、第２支持部５２１〜５２３のそれぞれの前端面に当接した姿勢、すなわち、第２排出口４７２側（後方）に傾倒した姿勢に規定する。第２入賞検知センサ７０２が第１規制部２８１〜２８３により姿勢を規定された状態において、第２入賞検知センサ７０２の検知孔７０２ａの姿勢は第２排出口４７２側に傾斜した姿勢を成す。
【００８８】
第１支持部５１１〜５１３のそれぞれの前端面が前述のように斜面を成すため、第１下側挿入部５１０に第１入賞検知センサ７０１が挿入された状態において、第１入賞検知センサ７０１は下端部を支点に前後方向に揺動可能な遊びを有する。第２下側挿入部５２０についても第１下側挿入部５１０の場合と同様に、第２下側挿入部５２０に第２入賞検知センサ７０２が挿入された状態において、第２入賞検知センサ７０２は下端部側を支点に前後方向に揺動可能な遊びを有する。ダブルタイプの下側部材４００と上側部材２００とが結合される際、第１下側挿入部５１０に対して遊びを有した状態の第１入賞検知センサ７０１の前面は、第１規制部２７１〜２７３のそれぞれの後端面により押圧されるため、第１入賞検知センサ７０１は第１排出口４７１の方向に傾いて第１支持部５１１〜５１３のそれぞれの前端面に当接し、これと並行して、第２下側挿入部５２０に対して遊びを有した状態の第２入賞検知センサ７０２の前面は、第２規制部２８１〜２８３のそれぞれの後端面により押圧されるため、第２入賞検知センサ７０２は第２排出口４７２の方向に傾いて第２支持部５２１〜５２３のそれぞれの前端面に当接する。
【００８９】
また、図６（ｂ），図８に示すように、第１下側挿入部５１０は第１通路４８１上において、第１入賞検知センサ７０１の検知孔７０１ａに遊技球を導く第１開口部１１１を、第１上側凹部２７８との間で形成する第１下側凹部５３１を備える。この第１下側凹部５３１は、奥側壁部４２３の右端部と右側壁部４２１の左端部との間の位置に設けられている。第２下側挿入部５２０は、ダブルタイプの筺体において第２通路４８２上において、第２入賞検知センサ７０２の検知孔７０２ａに遊技球を導く第２開口部１１２を第２上側凹部２７９との間で形成する第２下側凹部５３２を備える。この第２下側凹部５３２は、奥側壁部４２３の左端部と左側壁部４２２の左端部との間の位置に設けられている。
【００９０】
排出口、通路および入賞検知センサに係るシングルタイプの下側部材６００の詳細を次に説明する。
【００９１】
図７（ａ）〜（ｃ）に示すように、シングルタイプの下側部材６００はダブルタイプの下側部材４００と同じく、第１排出口４７１、第１通路４８１および第１下側挿入部５１０を備えるが、第２排出口４７２、第２通路４８２および第２下側挿入部５２０を備えず、これらの代わりに、左側壁部２３２の後端部まで広がった奥側壁部６２３を備える。この奥側壁部６２３は、ダブルタイプの下側部材４００において第２通路４８２を通過することに相当する遊技球の流れの発生を阻止する阻止部６２３ａを備える。この阻止部６２３ａは奥側壁部６２３の一部であり、ダブルタイプの下側部材４００における第２下側凹部５３２の代わりに設けられたものである。阻止部６２３ａの上端部からは、図７（ｂ），図９に示すように上側部材２００の第２上側凹部２８８を塞ぐ閉鎖部６２３ｂが上方向に突出して設けられている。
【００９２】
このように構成される入賞装置１００において、筺体１０１がダブルタイプの筺体である場合、入賞口１０２に入賞した遊技球は、第１通路４８１を転動して第１排出口４７１に到達するか、第２通路４８２を転動して第２排出口４７２に到達する。この際、第１通路４８１から第１排出口４７１を流れる遊技球は、第１入賞検知センサ７０１の検知孔７０１ａを通過して第１入賞検知センサ７０１に検知され、第２通路４８２から第２排出口４７２を流れる遊技球は、第２入賞検知センサ７０２の検知孔７０２ａを通過して第２入賞検知センサ７０２に検知される。
【００９３】
一方、入賞装置１００の筺体がシングルタイプの筺体である場合、入賞口１０２に入賞した遊技球は、阻止部６２３ａによって、ダブルタイプの下側部材４００において第２通路４８２を通過することに相当する挙動を阻止され、すなわち、進路を第１通路４８１に限定され、第１排出口４７１に到達する。この際、その遊技球は第１入賞検知センサ７０１の検知孔７０１ａを通過し、第１入賞検知センサ７０１に検知される。
【００９４】
本実施形態の入賞装置１００は次の効果を奏する。
【００９５】
入賞装置１００においては、上側部材２００とダブルタイプの下側部材４００との間に第１，第２入賞検知センサ７０１，７０２が組み込まれた状態で、それら上側部材２００とダブルタイプの下側部材４００が結合されるとともに、それら上側部材２００とダブルタイプの下側部材４００が結合されて成る筺体に対し開閉体１２０および駆動装置１３０が実装されることによって、排出口、通路および入賞検知センサを２個ずつ備える入賞装置が構成される。一方、この上側部材２００とシングルタイプの下側部材６００との間に第１入賞検知センサ７０１が単独で組み込まれた状態で、それら上側部材２００とシングルタイプの下側部材６００が結合されるとともに、それら上側部材２００とシングルタイプの下側部材６００が結合されて成る筺体に対し開閉体１２０および駆動装置１３０が実装されることによって、排出口、通路および入賞検知センサを１個ずつ備える入賞装置が構成される。また、ダブルタイプの筺体とシングルタイプの筺体とにおいて、開閉体１２０および駆動装置１３０を着脱可能に実装する手段は共通である。また、上側部材２００とダブルタイプの下側部材４００を着脱可能に結合する手段と、上側部材２００とシングルタイプの下側部材６００を着脱可能に結合する手段とは共通である。これらにより、本実施形態の入賞装置１００は、排出口、通路および入賞検知センサを２個ずつ備える場合と、排出口、通路および入賞検知センサを１個ずつ備える場合とで、筺体を構成する２部材（下側部材、上側部材）のうち、排出口および通路が設けられる側の部材（下側部材）以外の構成部品を共通化できる。
【００９６】
したがって、排出口、通路および入賞検知センサを２個ずつ備える入賞装置から、排出口、通路および入賞検知センサを１個ずつ備える入賞装置への設計変更、および、その逆の設計変更に要する時間を短縮でき、また、排出口、通路および入賞検知センサを２個ずつ備える入賞装置の筺体と、排出口、通路および入賞検知センサを１個ずつ備える入賞装置の筺体とで上側部材の成形型を共通化でき、また、入賞装置の構成部品のリサイクルの際に、排出口、通路および入賞検知センサを２個ずつ備える入賞装置と、排出口、通路および入賞検知センサを１個ずつ備える入賞装置との間で、筺体の下部を構成する下側部材以外の構成部品を区別なく使い回すことができる。したがって、本実施形態の入賞装置１００は、入賞装置の製造コストの削減に貢献できる。
【００９７】
本実施形態の入賞装置１００においては、第１入賞検知センサ７０１は第１通路４８１上に立設され、第２入賞検知センサ７０２の検知孔７０２ａは第２通路４８２上に立設される。そして、上側部材２００の第１上側挿入部２７０と、ダブルタイプの下側部材４００の第１下側挿入部５１０、またはシングルタイプの下側部材６００の第１下側挿入部５１０とが共同で第１入賞検知センサ７０１を保持し、上側部材２００の第２上側挿入部２８０と、ダブルタイプの第２下側挿入部５２０とが共同で第２入賞検知センサ７０２を保持する。これにより、入賞装置１００の製造の際、製造者は、上側部材２００とダブルタイプの下側部材４００を結合してダブルタイプの筺体を完成させることと並行して、その筺体への第１，第２入賞検知センサ７０１，７０２の実装を完了させることができ、また、上側部材２００とシングルタイプの下側部材６００を結合してシングルタイプの筺体を完成させることと並行して、その筺体への第１入賞検知センサ７０１の実装を完了させることができる。つまり、本実施形態の入賞装置１００は、上側部材２００または下側部材３００に対する入賞検知センサの取付けと、それら上側部材２００と下側部材３００の結合とが別工程で行われる入賞装置よりも、製造の際の工数を減らすことができる。
【００９８】
本実施形態の入賞装置１００において、第１入賞検知センサ７０１の検知孔７０１ａの姿勢は第１支持部５１１〜５１３と第１規制部２７１〜２７３とによって第１排出口４７１側に傾斜した姿勢に保持され、第２入賞検知センサ７０２の検知孔７０２ａの姿勢は第２支持部５２１〜５２３と第２規制部２８１〜２８３とによって第２排出口４７２側に傾斜した姿勢に保持される。これにより、本実施形態の入賞装置１００は、第１入賞検知センサ７０１の検知孔７０１ａから第１排出口４７１へ遊技球を円滑に導き、第１入賞検知センサ７０１により検知済みの遊技球を速やかにダブルタイプの筺体外またはシングルタイプの筺体外に排出することができ、また、第２入賞検知センサ７０２の検知孔７０２ａから第２排出口４７２へ遊技球を円滑に導き、第２入賞検知センサ７０２により検知済みの遊技球を速やかにダブルタイプの筺体外に排出することができる。
【００９９】
本実施形態の入賞装置１００において、第１入賞検知センサ７０１の検知孔７０１ａの姿勢を第１排出口４７１側に傾斜した姿勢に保持する構造は第１支持部５１１〜５１３と第１規制部２７１〜２７３とから構成され、これらは第１下側挿入部５１０と第１上側挿入部２７０とに分散して設けられている。これと同様に、第２入賞検知センサ７０２の検知孔７０２ａの姿勢を第２排出口４７２の方向に傾斜した姿勢に保持する構造は第２支持部５２１〜５２３と第２規制部２８１〜２８３とから構成され、これらは第２下側挿入部５２０と第２上側挿入部２８０とに分散して設けられている。これらの構造は、支持部と規制部とが下側挿入部または上側挿入部に集中して設けられるものよりも、成形型による成形が容易である。
【０１００】
パチンコ機１の遊技領域３１には、アタッカー装置６６が１個だけ設けられている。このアタッカー装置６６が第１，第２入賞検知センサ７０１，７０２を備える場合には、入賞検知センサによる遊技球の検知に基づき大入賞口への遊技球の入賞をカウントするカウント用回路基板としては、それら第１入賞検知センサ７０１に電気的に接続されるコネクタと、第２入賞検知センサ７０２に電気的に接続されるコネクタとの合計２個のコネクタを備えるものが用いられる。パチンコ機の遊技領域としては、遊技領域３１とは異なり、アタッカー装置６６が２個設けられる遊技領域も存在する。これら２個のアタッカー装置６６のそれぞれが第１入賞検知センサ７０１を単独で備える場合にも、カウント用回路基板としては、２個のうちの一方の第１入賞検知センサ７０１に電気的に接続されるコネクタと、他方の第１入賞検知センサ７０１に電気的に接続されるコネクタとの合計２個のコネクタを備えるものが用いられる。本実施形態の入賞装置１００は、前述のように第１，第２入賞検知センサ７０１，７０２を備えるものから第１入賞検知センサ７０１を単独で備えるものへの変更、および、その逆の変更が行いやすいため、パチンコ機の開発中において、コネクタを２個備えるカウント用回路基板を流用しつつ、遊技領域をアタッカー装置が１個だけ設けられたものからアタッカー装置を２個備えるものへの変更、および、その逆の変更を行いやすくすることができる。
【０１０１】
前述の実施形態の入賞装置１００はアタッカー装置６６に適用された例であるが、本発明の入賞装置の適用対象はアタッカー装置のみに限定されるものではなく、アタッカー装置６６と同様の構成の電動チューリップであってもよい。
【符号の説明】
【０１０２】
１００  入賞装置
１０１  筺体
１０２  入賞口
１１１，１１２  第１，第２開口部
１２０  開閉体
１３０  駆動装置
１５０  取付部材
２００  上側部材
２７０  第１上側挿入部
２７１〜２７３  第１規制部
２７８，２７９  第１上側凹部
２８０  第２上側挿入部
２８１〜２８３  第２規制部
２８８，２８９  第２上側凹部
３００  下側部材
４００  ダブルタイプの下側部材
４７１，４７２  第１，第２排出口
４８１，４８２  第１，第２通路
５１０  第１下側挿入部
５１１〜５１３  第１支持部
５２０  第２下側挿入部
５２１〜５２３  第２支持部
５３１，５３２  第１，第２下側凹部
６００  シングルタイプの下側部材
６２３  奥側壁部
６２３ａ  阻止部
６２３ｂ  閉鎖部
７０１，７０２  第１，第２入賞検知センサ
７０１ａ，７０１ｂ  検知孔
【図１】
0006025391.tif 000002
【図２】
0006025391.tif 000003
【図３】
0006025391.tif 000004
【図４】
0006025391.tif 000005
【図５】
0006025391.tif 000006
【図６】
0006025391.tif 000007
【図７】
0006025391.tif 000008
【図８】
0006025391.tif 000009
【図９】
0006025391.tif 000010